(57)【要約】【課題】上流側ガス配管の整圧装置の異常により異常圧に昇圧する場合にはガス流通路を遮断して安全性を確保しながらも、ガスの昇温により異常圧に昇圧する場合にはガス流通路へのガスの流通を許容して使用者の利便性の向上を図る。【解決手段】制御部は、温度計測部により計測される温度の経時変化を監視する温度変化監視制御（＃０１）を実行すると共に、圧力計測部により計測される圧力の経時変化を監視する圧力変化監視制御（＃０２）を実行している状態で、圧力計測部にて計測される圧力が遮断判定閾値を超えたときに、圧力計測部にて計測される圧力が遮断判定閾値を超えるまでの所定の時間である判定期間において、圧力変化監視制御で監視された圧力変化が温度変化監視制御で監視された温度変化に基づくものであるという第１判定条件を満たしている場合（＃０５）、圧力遮断制御を禁止する圧力遮断禁止制（＃０７）御を実行する。【選択図】図３
2020051934.tif 000002
【特許請求の範囲】
【請求項１】
内部のガス通流路を通流するガスの流量を計測する流量計測部と、前記ガス通流路を通流するガスの圧力を計測する圧力計測部と、前記ガス通流路の開放状態と閉止状態とを切り換える遮断弁と、前記圧力計測部にて計測される圧力が遮断判定閾値を超える状態が圧力遮断判定時間以上継続する場合に前記遮断弁を開放状態から閉止状態へ移行する圧力遮断制御を実行する制御部とを備えたガスメータであって、
前記ガス通流路を通流するガスの温度を計測する温度計測部を備え、
前記制御部は、
前記温度計測部により計測される温度の経時変化を監視する温度変化監視制御を実行すると共に、前記圧力計測部により計測される圧力の経時変化を監視する圧力変化監視制御を実行している状態で、
前記圧力計測部にて計測される圧力が前記遮断判定閾値を超えたときに、前記圧力計測部にて計測される圧力が前記遮断判定閾値を超えるまでの所定の時間である判定期間において、前記圧力変化監視制御で監視された圧力変化が前記温度変化監視制御で監視された温度変化に基づくものであるという第１判定条件を満たしている場合、前記圧力遮断制御を禁止する圧力遮断禁止制御を実行するガスメータ。
【請求項２】
前記制御部は、前記圧力計測部にて計測される圧力が前記遮断判定閾値を超えたときに、前記第１判定条件を満たしている場合であっても、前記圧力計測部にて計測される圧力が前記遮断判定閾値を超える状態が前記圧力遮断判定時間よりも長い温度遮断判定時間以上継続するという第２判定条件を満たす場合、前記遮断弁を開放状態から閉止状態へ移行する温度遮断制御を実行する請求項１に記載のガスメータ。
【請求項３】
前記温度遮断判定時間は、可変に設定可能に構成されている請求項２に記載のガスメータ。
【請求項４】
前記制御部は、
前記流量計測部にて計測されるガスの流量の経時変化を監視する流量変化監視制御を実行している状態で、
前記圧力計測部にて計測される圧力が前記遮断判定閾値を超えたときに、前記第１判定条件を満たした場合であっても、前記圧力計測部にて計測される圧力が前記遮断判定閾値を超える直前での前記流量変化監視制御にて監視された流量が零より大きい場合、前記圧力遮断禁止制御に優先して前記圧力遮断制御を実行する請求項１〜３の何れか一項に記載のガスメータ。
【請求項５】
前記制御部は、前記判定期間における前記圧力変化監視制御にて監視された圧力変化の割合が、前記温度変化監視制御にて監視された温度変化の割合に対応する場合に前記第１判定条件を満たすと判定する請求項１〜４の何れか一項に記載のガスメータ。
【請求項６】
前記ガス通流路のガス受入部に連通接続されるガス配管のうち前記ガス受入部の近傍で、ガス圧力を調整すると共にガスの上流への逆流を防止する整圧機構を含む請求項１〜５の何れか一項に記載のガスメータ。
【請求項７】
内部のガス通流路を通流するガスの流量を計測する流量計測部と、前記ガス通流路を通流するガスの圧力を計測する圧力計測部と、前記ガス通流路の開放状態と閉止状態とを切り換える遮断弁とを備えたガスメータにおいて、前記圧力計測部にて計測される圧力が遮断判定閾値を超える状態が圧力遮断判定時間以上継続する場合に前記遮断弁を開放状態から閉止状態へ移行する圧力遮断制御を実行する前記ガスメータの制御方法であって、
前記ガス通流路を通流するガスの温度を計測する温度計測部を備える構成において、
前記温度計測部により計測される温度の経時変化を監視する温度変化監視制御を実行すると共に、前記圧力計測部により計測される圧力の経時変化を監視する圧力変化監視制御を実行している状態で、
前記圧力計測部にて計測される圧力が前記遮断判定閾値を超えたときに、前記圧力計測部にて計測される圧力が前記遮断判定閾値を超えるまでの所定の時間である判定期間において、前記圧力変化監視制御で監視された圧力変化が前記温度変化監視制御で監視された温度変化に基づくものであるという第１判定条件を満たしている場合、前記圧力遮断制御を禁止する圧力遮断禁止制御を実行する、前記ガスメータの制御方法。
【発明の詳細な説明】
【技術分野】
【０００１】
本発明は、内部のガス通流路を通流するガスの流量を計測する流量計測部と、前記ガス通流路を通流するガスの圧力を計測する圧力計測部と、前記圧力計測部にて計測される圧力が遮断判定閾値を超える状態が圧力遮断判定時間以上継続する場合に前記ガス通流路に設けられた遮断弁を開放状態から閉止状態へ移行する圧力遮断制御を実行する制御部とを備えたガスメータ、
及び内部のガス通流路を通流するガスの流量を計測する流量計測部と、前記ガス通流路を通流するガスの圧力を計測する圧力計測部とを備えたガスメータで、前記圧力計測部にて計測される圧力が遮断判定閾値を超える状態が圧力遮断判定時間以上継続する場合に前記ガス通流路に設けられた遮断弁を開放状態から閉止状態へ移行する圧力遮断制御を実行する、前記ガスメータの制御方法に関する。
【背景技術】
【０００２】
従来、ガスメータには、ガス供給源から供給される高圧のガス（例えば、都市ガス１３Ａ）を整圧装置により徐々に降圧された低圧のガスが供給されるようになっている。
ここで、ガスメータより上流側の整圧装置が種々の理由によりガス圧を適切に降圧できず、所定の通常供給圧（例えば、供給約款に記載された供給圧力１．０〜２．５ＫＰａ）より高い圧力（以下、異常圧と呼ぶ場合がある）のガスがガスメータに供給される可能性がある。このような場合に、当該通常供給圧よりも高い圧力のガスが、ガスメータ下流の各戸に供給されることを防止するべく、ガスメータには、内部のガス通流部の圧力を計測する圧力計測部が設けられると共に、当該圧力計測部にて計測される圧力が遮断判定閾値を超える状態が圧力遮断判定時間以上継続する場合にガス通流路に設けられた遮断弁を開放状態から閉止状態へ移行する圧力遮断制御を実行する制御部が設けられている（特許文献１を参照）。
これにより、異常圧のガスがガスメータへ供給された場合、遮断弁を閉止することで、異常圧によるガスメータやガス機器の故障を防止したり、各戸内に異常圧のガスが供給されることによる異常燃焼を防止したりできる。
【先行技術文献】
【特許文献】
【０００３】
【特許文献１】特開２０１７−１８０７５３号公報
【発明の概要】
【発明が解決しようとする課題】
【０００４】
ガスメータの近傍で上流側のガス配管（以下、上流側ガス配管と呼ぶ場合がある）の昇圧は、上述したように、上流側ガス配管に設けられる整圧装置の異常が原因の場合以外に、上流側ガス配管が直射日光を受けて昇温し、ボイルシャルルの法則により昇圧する場合等がある。この場合にあっては、ガスの昇圧は、温度（気温）低下により復元したり、ガスメータの近傍の上流側ガス配管で起きたりすることが多いため、ガスを各戸へ供給したときには、すぐにガス圧が低下するから、継続した着火不良等の問題は生じない。このため、各戸でのガス利用の利便性を考慮して、ガス供給を維持することが好ましい。しかしながら、従来のガスメータでは、後者の場合であっても、遮断弁がガス通流路を閉止してガス利用の利便性を損っていたため、改善の余地があった。
【０００５】
本発明は、上述の課題に鑑みてなされたものであり、その目的は、上流側ガス配管の整圧装置の異常により異常圧に昇圧する場合にはガス流通路を遮断して安全性を確保しながらも、ガスの昇温により異常圧に昇圧する場合にはガス流通路へのガスの流通を許容して使用者の利便性の向上を図ることができるガスメータ、及びその制御方法を提供する。
【課題を解決するための手段】
【０００６】
上記目的を達成するためのガスメータは、
内部のガス通流路を通流するガスの流量を計測する流量計測部と、前記ガス通流路を通流するガスの圧力を計測する圧力計測部と、前記ガス通流路の開放状態と閉止状態とを切り換える遮断弁と、前記圧力計測部にて計測される圧力が遮断判定閾値を超える状態が圧力遮断判定時間以上継続する場合に前記遮断弁を開放状態から閉止状態へ移行する圧力遮断制御を実行する制御部とを備えたガスメータであって、その特徴構成は、
前記ガス通流路を通流するガスの温度を計測する温度計測部を備え、
前記制御部は、
前記温度計測部により計測される温度の経時変化を監視する温度変化監視制御を実行すると共に、前記圧力計測部により計測される圧力の経時変化を監視する圧力変化監視制御を実行している状態で、
前記圧力計測部にて計測される圧力が前記遮断判定閾値を超えたときに、前記圧力計測部にて計測される圧力が前記遮断判定閾値を超えるまでの所定の時間である判定期間において、前記圧力変化監視制御で監視された圧力変化が前記温度変化監視制御で監視された温度変化に基づくものであるという第１判定条件を満たしている場合、前記圧力遮断制御を禁止する圧力遮断禁止制御を実行する点にある。
【０００７】
上記目的を達成するためのガスメータの制御方法は、
内部のガス通流路を通流するガスの流量を計測する流量計測部と、前記ガス通流路を通流するガスの圧力を計測する圧力計測部と、前記ガス通流路の開放状態と閉止状態とを切り換える遮断弁とを備えたガスメータにおいて、前記圧力計測部にて計測される圧力が遮断判定閾値を超える状態が圧力遮断判定時間以上継続する場合に前記遮断弁を開放状態から閉止状態へ移行する圧力遮断制御を実行する前記ガスメータの制御方法であって、その特徴構成は、
前記ガス通流路を通流するガスの温度を計測する温度計測部を備える構成において、
前記温度計測部により計測される温度の経時変化を監視する温度変化監視制御を実行すると共に、前記圧力計測部により計測される圧力の経時変化を監視する圧力変化監視制御を実行している状態で、
前記圧力計測部にて計測される圧力が前記遮断判定閾値を超えたときに、前記圧力計測部にて計測される圧力が前記遮断判定閾値を超えるまでの所定の時間である判定期間において、前記圧力変化監視制御で監視された圧力変化が前記温度変化監視制御で監視された温度変化に基づくものであるという第１判定条件を満たしている場合、前記圧力遮断制御を禁止する圧力遮断禁止制御を実行する点にある。
【０００８】
上記特徴構成を有するガスメータにあっては、制御部が、圧力計測部にて計測される圧力が遮断判定閾値を超えるときに、圧力計測部にて計測される圧力が遮断判定閾値を超えるまでの判定期間において、圧力変化監視制御で監視された圧力変化が温度変化監視制御で監視された温度変化に基づくものであるという第１判定条件を満たすか否かを判定する。
ここで、当該第１判定条件を満たす場合、ガスメータのガス通流路での圧力上昇が温度変化に基づくものであると言え、ガスメータの上流側の上流側ガス配管の整圧装置に故障等が原因でない可能性が高く、ガスメータの近傍のみで昇圧している可能性が高く、第１判定条件を満たした後に、ガスメータの下流側の各戸においてガスが使用された場合であっても、通常供給圧よりも高圧のガスが連続的に供給されることはなく、継続的な立ち消えが発生する虞もない。
そこで、制御部は、第１判定条件が満たされる場合、圧力遮断禁止制御により、遮断弁によるガス通流路を遮断する圧力遮断制御を禁止することで、不必要なガス遮断を禁止して、使用者の利便性を向上できる。
一方、第１判定条件が満たされない場合、ガス通流路の圧力が遮断判定閾値を超えているため、制御部が圧力遮断制御を実行するから、高圧のガスが連続的に供給され異常燃焼等が発生することを防止し、使用者の安全性を確保できる。
以上より、上流側ガス配管の整圧装置の異常等により、ガスの供給圧が異常圧に昇圧する場合にはガス流通路を遮断して使用者の安全性を確保しながらも、ガスの昇温により異常圧に昇圧する場合にはガス流通路へのガスの流通を許容して使用者の利便性の向上を図ることができるガスメータ、及びその制御方法を提供できる。
尚、本発明においては、現時点より判定期間だけ前のガス通流路の圧力及び温度の経時変化を記憶部に記憶しており、当該判定期間におけるガス通流路の圧力及び温度の経時変化に基づいて、第１判定条件を満たすか否かの判断が行われる。即ち、判定期間とは、例えば、圧力が遮断判定閾値を超えた時点（遮断判定開始時点）を終了時点とし、当該終了時点から所定の時間だけ前を開始時点とする期間である。
上記特徴構成の如く、制御部は、遮断判定開始時点が更新される毎に、判定期間を更新設定し、当該設定された判定期間に基づいて、圧力遮断禁止制御を実行するか否かを判定するから、温度変化にリアルタイムで追従した判定を実行できる。
また、更なる安全性を確保するため、一定圧力以上であった場合には温度変化の確認を行わず遮断する機能を有しても良い。
【０００９】
ガスメータの更なる特徴構成は、
前記制御部は、前記圧力計測部にて計測される圧力が前記遮断判定閾値を超えたときに、前記第１判定条件を満たしている場合であっても、前記圧力計測部にて計測される圧力が前記遮断判定閾値を超える状態が前記圧力遮断判定時間よりも長い温度遮断判定時間以上継続するという第２判定条件を満たす場合、前記遮断弁を開放状態から閉止状態へ移行する温度遮断制御を実行する点にある。
【００１０】
圧力計測部にて計測される圧力が、遮断判定閾値を超える状態が圧力遮断判定時間よりも長い温度遮断判定時間以上継続するという第２判定条件を満たす場合、ガスメータの上流側の上流側ガス管やガス通流路におけるガス圧が昇温により通常供給圧より高い状態が長く継続し過ぎていると判定し、圧力遮断禁止制御に優先して、安全性の観点から遮断弁を閉止状態へ移行させる温度遮断制御を実行する。
これにより、不必要なガス遮断の発生を抑制しつつも、過昇温による昇圧に伴う危険を好適に回避することができるように、遮断弁によるガス通流路の遮断が実行される。
【００１１】
因みに、前記温度遮断判定時間は、可変に設定可能に構成されていることが好ましい。
【００１２】
ガスメータの更なる特徴構成は、
前記制御部は、前記流量計測部にて計測されるガスの流量の経時変化を監視する流量変化監視制御を実行している状態で、
前記圧力計測部にて計測される圧力が前記遮断判定閾値を超えたときに、前記第１判定条件を満たした場合であっても、前記圧力計測部にて計測される圧力が前記遮断判定閾値を超える直前での前記流量変化監視制御にて監視された流量が零より大きい場合、前記圧力遮断禁止制御に優先して前記圧力遮断制御を実行する点にある。
【００１３】
上述の流量変化監視制御にて監視された流量が零より大きい場合、ガスが通流状態にあるから、ガスメータ近傍でのガスの昇温による圧力上昇である可能性は低いため、圧力遮断禁止制御を実行することで、安全性を優先した制御にできる。
【００１４】
ガスメータの更なる特徴構成は、
前記制御部は、前記判定期間における前記圧力変化監視制御にて監視された圧力変化の割合が、前記温度変化監視制御にて監視された温度変化の割合に対応する場合に前記第１判定条件を満たすと判定する点にある。
【００１５】
制御部は、第１判定条件を満たす場合として、例えば、判定期間における圧力変化監視制御にて監視された圧力変化の割合が、温度変化監視制御にて監視された温度変化の割合に対応する場合、換言すると、判定期間における圧力変化の割合が温度変化の割合と正の相関を有する場合、第１判定条件を満たすと判定することで、ガスの圧力上昇が、温度上昇が原因である場合を適切に峻別し、圧力遮断禁止制御を実行できる。
尚、第１判定条件を満たす場合は、より好ましくは、判定期間における圧力変化の増加率と温度変化の増加率とが等しい場合とすることができる。
【００１６】
ガスメータの更なる特徴構成は、
前記ガス通流路のガス受入部に連通接続されるガス配管のうち前記ガス受入部の近傍で、ガス圧力を調整すると共にガスの上流への逆流を防止する整圧機構を含む点にある。
【００１７】
例えば、高層マンションの上層階にあっては、各戸へのガス圧力を適切な圧力に保つべく、ガスメータの夫々に、ガス受入部の近傍においてガス圧力を調整すると共にガスの上流側への逆流を防止する整圧機構が設けられている。
このような構成にあっては、ガスの使用がない場合、整圧機構より下流側の比較的小さい体積のガス配管内に、閉じた空間が形成されるため、当該空間が直射日光の照射により加熱されることで、比較的短時間に温度上昇に基づく圧力上昇が発生する場合がある。
本発明によれば、このような場合において、圧力上昇に基づくガス通流路の遮断が不必要に発生することを防止でき、使用者の利便性が阻害されることを防止できる。
【図面の簡単な説明】
【００１８】
【図１】実施形態に係るガスメータの概略構成図
【図２】実施形態に係るガスメータのマンションへの設置状態を示す図
【図３】実施形態に係るガスメータの制御方法を示すフロー図
【図４】制御を説明するためのグラフ図
【発明を実施するための形態】
【００１９】
本発明の実施形態に係るガスメータ１００、及びその制御方法は、上流側ガス配管の整圧装置の異常により異常圧に昇圧する場合にはガス流通路を遮断して安全性を確保しながらも、ガスの昇温により異常圧に昇圧する場合にはガス流通路へのガスの流通を許容して使用者の利便性の向上を図ることができるものに関する。以下、当該ガスメータ１００、及びその制御方法について、図面に基づいて説明する。
【００２０】
ガスメータ１００は、超音波流量計として構成されており、ガス管から住居等のガス供給箇所（図示せず）へ供給されるガスの流量を計測するものである。
当該ガスメータ１００には、図１の一部断面図に示すように、一次側のガス配管に連通接続されるガス受入部１１と、二次側のガス配管に連通接続されるガス流出口１２と、当該ガス受入部１１とガス流出口１２とを接続する形でガス通流路Ｌが形成されている。
ガス通流路Ｌには、整流流路を形成する筒状部材２０が配設されると共に、当該筒状部材２０の内部には、筒軸心に沿って延びる整流板２１が複数設けられている。
詳細な図示は省略するが、当該ガスメータ１００には、筒状部材２０の内部に形成される整流流路に超音波を伝播させる一対の送受波器ＳＪ１、ＳＪ２とが備えられている。
より詳細には、ガス通流路Ｌを通流するガスの流れ方向に対して、当該流れ方向に沿った第１方向及び当該第１方向とは逆方向の第２方向に超音波を伝搬させて、第１方向の所定伝搬距離を伝搬した超音波を受信すると共に第２方向の所定伝搬距離を伝搬した超音波を受信する一対の送受波器ＳＪ１、ＳＪ２を備えると共に、第１方向で所定伝搬距離を超音波が伝搬する第１伝搬時間と第２方向で所定伝搬距離を超音波が伝搬する第２伝搬時間とを計測し、計測された第１伝搬時間及び第２伝搬時間と所定伝搬距離とからガス流路を通流するガスのガス流速を導出し、当該ガス流速とガス通流路Ｌ（整流流路）の流路断面積とからガス流量を導出する制御装置Ｃを備え、これらが流量計測部として機能する。
制御装置Ｃは、ガスメータ１００の内部の中央に形成される中央空間Ｋに制御基板として実装されており、ソフトウェア群とＣＰＵ等の演算装置及び記憶部等から成るハードウェア群とが協働する状態で設けられている。制御装置Ｃでは、ガスメータ１００において、ガス流量の演算等を行う制御部Ｃ１や、制御部Ｃ１からの各種信号をガスメータ１００の外部の監視センターＣＳ（図２に図示）へ無線ネットワーク回線Ｎ（図２に図示）等を介して送信する通信部Ｃ２等の機能部位が備えられる。図２に示すように、監視センターＣＳは、通信部ＣＳ１を介して複数のガスメータ１００（Ｍ１〜Ｍ３）との間で各種情報を送受信可能に構成されている。
また、図示は省略するが、ガスメータ１００には、制御部Ｃ１にて演算されたガス流量を外部から視認可能な状態で表示する７セグメントディスプレイ等から成る表示部が設けられている。
【００２１】
筒状部材２０にて構成される整流流路の上流側には、ガスメータ１００の上流側のガス圧が著しく低下したときに安全上の観点からガス通流路Ｌを遮断する遮断弁３０が設けられており、当該遮断弁３０は、弁体３１がガス通流路Ｌ内に突出形成される弁座部３２に着座する形態で、ガス通流路Ｌの開閉部位ＬＫを閉止して、ガス通流路Ｌを閉止する。
【００２２】
ガス通流路Ｌとしての整流流路には、その流路軸心に略直交する方向に開口ＬＲが形成されると共に、整流流路の内部と連通する状態で連通空間ＳＫが併設されている。当該連通空間ＳＫは、整流流路の流れを阻害しない状態で、整流流路から外れた位置で且つガスメータ１００の内部に形成されている。当該連通空間ＳＫの内部には、ガス通流路Ｌを通流するガスの温度を計測する温度センサＳ１（温度計測部の一例）及びガス通流路Ｌのガスの圧力を計測する圧力センサＳ２（圧力計測部の一例）が配設されており、当該温度センサＳ１及び圧力センサＳ２にて計測される温度及び圧力は、制御装置Ｃの制御部Ｃ１が受信する。
【００２３】
尚、本発明のガスメータ１００（Ｍ１）は、図１に示すように、ガス通流路Ｌのガス受入部１１に連通接続されるガス配管のうちガス受入部１１の近傍で、ガス圧力を調整すると共にガスの上流側への逆流を防止する整圧機構としてのガバナＶ１を含んで構成されている。
このような整圧機構を有するガスメータ１００は、図２に示すように、高層マンションＢ等の上層階において、各戸へのガス圧力を適切な圧力に保つべく、採用される場合が多い。
整圧機構としてのガバナＶ１は、図１に示すように、ダイヤフラムＤに区画される第１室Ｒ１と第２室Ｒ２とを有する。大気開放される第１室Ｒ１には、第１室Ｒ１の側から第２室Ｒ２の側へダイヤフラムＤを付勢する付勢バネＳが設けられている。更に、ガス通流路Ｌの一次側と二次側とを区画する区画壁に形成された開口を開閉する弁体Ｖ１ａが設けられ、当該弁体Ｖ１ａは、連結軸ＳｈにてダイヤフラムＤに連結され当該ダイヤフラムＤの変位量に追従する形態で、開状態と閉状態とを切り換えられる。第２室Ｒ２には、ガス通流路Ｌの二次側と連通路ＬＶ１にて連通接続されている。
ガバナＶ１は、当該構成により、付勢バネＳの付勢力を調整する形態で、二次側のガス圧力を所望の圧力に調整可能となる。尚、ガバナＶ１とガス受入部１１との間のガス通流路Ｌには、二次側から一次側への逆止弁ＲＶ１が設けられている。
尚、図２に示す例では、高層階の各戸（Ｒ１，Ｒ２，Ｒ３）の夫々に対して、ガバナＶ１を含むガスメータＭ１、ガバナＶ２を含むガスメータＭ２、ガバナＶ３を含むガスメータＭ３が記載の順に設けられている例を示している。因みに、当該構成においては、ガス通流路Ｌの上流においてガス圧を中圧から低圧に減圧制御する整圧装置Ｖｓが設けられる例を示している。
【００２４】
さて、以下の説明では、当該実施形態に係るガスメータ１００の制御構成の理解を容易にするべく、温度センサＳ１にて計測される温度Ｔ及び圧力センサＳ２にて計測される圧力Ｐが、図４に示すグラフ図に例示するように変化する場合を例として、図４を参酌しながら、説明する。
図２に示すような構成の場合、例えば、上流側の整圧装置Ｖｓの異常等により、ガス供給圧が通常圧力よりも高い異常圧となったときには、異常圧のガスが戸内に供給されることになり、ガス機器(図示せず)での立ち消え等が発生する恐れがある。そこで、制御部Ｃ１は、ガスメータ１００では、圧力センサＳ２にて計測される圧力が遮断判定閾値（図４でＰ１：通常供給圧よりも高い圧力で各ガスメータにて可変に設定される値）を超える状態が圧力遮断時間（図４でＴ１：各ガスメータにて可変に設定される時間）以上継続する場合に遮断弁３０を開放状態から閉止状態へ移行する圧力遮断制御を実行するように構成されている。
しかしながら、例えば、図２に示す構成において、逆止弁ＲＶ１より下流側に閉じた空間が形成されるため、整圧機構としてのガバナＶ１（逆止弁ＲＶ１）より下流側のガス通流路Ｌに太陽光等が照射され加熱される場合、ボイルシャルルの法則により、ガス通流路Ｌの内部のガスが昇温に伴って昇圧することになる。このような場合、ガス圧の昇圧は、逆止弁ＲＶ１より下流側の体積の小さい流路で起きているに過ぎないため、各戸でガスが使用されたとしても異常圧のガスが連続して供給されることはなく、ガスの立ち消えが連続して発生することもないため、使用者の利便性の観点から遮断弁３０によりガス通流路Ｌが遮断されないことが好ましい。
【００２５】
そこで、制御部Ｃ１では、以下のように構成されている。
制御部Ｃ１は、温度センサＳ１により計測される温度の経時変化を監視する温度変化監視制御を実行すると共に、圧力センサＳ２により計測される圧力の経時変化を監視する圧力変化監視制御を実行している状態で、圧力センサＳ２にて計測される圧力が遮断判定閾値Ｐ１を超えたときに、圧力センサＳ２にて計測される圧力が遮断判定閾値Ｐ１を超えるまでの所定の時間である判定期間Ｔ２において、圧力変化監視制御で監視された圧力変化が温度変化監視制御で監視された温度変化に基づくものであるという第１判定条件を満たしている場合、圧力遮断制御を禁止する圧力遮断禁止制御を実行する。即ち、図４において、遮断判定終了時点ｔ３以降において、圧力遮断が禁止される圧力遮断禁止状態となる。
説明を追加すると、制御部Ｃ１は、現時点より判定期間だけ前のガス通流路Ｌの圧力及び温度の経時変化を記憶部（図示せず）に記憶しており、当該判定期間におけるガス通流路Ｌの圧力及び温度の経時変化に基づいて、第１判定条件を満たすか否かの判定を行う。即ち、判定期間とは、例えば、圧力が遮断判定閾値Ｐ１を超えた時点（遮断判定開始時点：ｔ２）を終了時点とし、当該終了時点から所定の時間（例えば、数秒程度の時間で各ガスメータにて可変に設定される時間）だけ前を開始時点とする期間である。更に、当該判定期間は、遮断判定開始時点が更新される毎に、更新設定され、制御部Ｃ１は、当該設定された判定期間に基づいて、圧力遮断禁止制御を実行するか否かを判定する。
更に、制御部Ｃ１による第１判定について、説明を追加すると、制御部Ｃ１は、判定期間Ｔ２における圧力変化監視制御にて監視された圧力変化の割合が、温度変化監視制御にて監視された温度変化の割合に対応する場合に第１判定条件を満たすと判定する。より具体的には、例えば、判定期間Ｔ２における圧力変化の割合が温度変化の割合と正の相関を有する場合、第１判定条件を満たすと判定することで、ガスの圧力上昇が、温度上昇が原因である場合を適切に峻別し、圧力遮断禁止制御を実行できる。尚、第１判定条件を満たす場合は、より好ましくは、判定期間Ｔ２における圧力変化の増加率と温度変化の増加率とが等しい場合とすることができる。
【００２６】
さて、温度上昇に基づく圧力上昇であっても、圧力センサＳ２にて計測される圧力が遮断判定閾値Ｐ１を超える時間が圧力遮断判定時間Ｔ１よりも十分に長い温度遮断判定時間Ｔ３（各ガスメータにて可変に設定可能な値）以上継続する第２判定条件を満たす場合、安全性を優先すべく、制御部Ｃ１は、遮断弁３０を開放状態から閉止状態へ移行する温度遮断制御を実行する。
【００２７】
更に、圧力センサＳ２にて計測される圧力が遮断判定閾値Ｐ１を超えたときに、第１判定条件を満たした場合であっても、上述の流量変化監視制御にて監視された流量が零より大きい場合、ガスが通流状態にあるから、ガスメータ１００近傍でのガスの昇温による圧力上昇である可能性は低いと考えられるため、圧力遮断制御を実行することで、安全性を優先した制御にできる。
即ち、制御部Ｃ１は、流量計測部（ガスメータ１００）にて計測されるガスの流量の経時変化を監視する流量変化監視制御を実行している状態で、圧力センサＳ２にて計測される圧力が遮断判定閾値Ｐ１を超えたときに、第１判定条件を満たした場合であっても、圧力センサＳ２にて計測される圧力が遮断判定閾値Ｐ１を超える直前での流量変化監視制御にて監視された流量が零より大きい場合、圧力遮断禁止制御に優先して圧力遮断制御を実行する。
【００２８】
次に、ガスメータ１００の制御方法に関し、図３の制御フローに基づいて説明する。
制御部Ｃ１は、温度センサＳ１により計測される温度の経時変化を監視する温度変化監視制御を実行すると共に（＃０１）、圧力センサＳ２により計測される圧力の経時変化を監視する圧力変化監視制御を実行している状態で（＃０２）、圧力センサＳ２にて計測される圧力が遮断判定閾値Ｐ１を超えるか否かの判定を所定時間毎に実行する（＃０３、＃０４）。
制御部Ｃ１は、＃０３の判定において、圧力センサＳ２にて計測される圧力が遮断判定閾値Ｐ１を超えた場合、圧力センサＳ２にて計測される圧力が遮断判定閾値Ｐ１を超えるまでの所定の時間である判定期間Ｔ２において、圧力変化監視制御で監視された圧力変化が温度変化監視制御で監視された温度変化に基づくものであるという第１判定条件を満たしているか否かを判定する（＃０５）。
【００２９】
制御部Ｃ１は、＃０５の判定において、第１判定条件が満たされていなかった場合、遮断弁３０にてガス通流路Ｌを遮断する圧力遮断制御を実行する（＃０９）。一方、＃０５の判定において、第１判定条件が満たされた場合、制御部Ｃ１は、更に、圧力センサＳ２にて計測される圧力が遮断判定閾値Ｐ１を超える時間が圧力遮断判定時間Ｔ１よりも十分に長い温度遮断判定時間Ｔ３以上継続する第２判定条件を満たすか否かを判定する（＃０６）。
【００３０】
制御部Ｃ１は、第２判定条件が満たされなかった場合、使用者の利便性を優先するべく、圧力遮断禁止制御を実行し遮断弁３０の遮断を禁止し（＃０７）、第２判定条件が満たされた場合、使用者の安全性を優先すべく、温度遮断制御を実行して遮断弁３０を遮断する（＃０８）。
【００３１】
制御部Ｃ１は、＃０９の圧力遮断制御及び＃０８の温度遮断制御が実行された場合、当該遮断が実行されていることを表示部（図示せず）等により外部に報知する遮断報知制御（＃１０）を実行後に制御を終了する。一方、＃０７の圧力遮断禁止制御が実行された場合、遮断弁３０は遮断されていないので、＃１０の遮断報知制御を実行することなく、制御を終了する。
【００３２】
〔別実施形態〕       
（１）上記実施形態において、ガスメータ１００は、超音波メータである例を示したが、膜式メータ等の他のメータであっても、本発明の機能は良好に発揮される。
【００３３】
（２）上記実施形態において、温度センサＳ１は、相対湿度を計測する相対湿度センサとして構成しても構わない。この場合、制御部Ｃ１は、相対湿度センサにて計測される温度に基づいて、各種制御を実行することになる。
尚、当該相対湿度センサによる計測は、ガスメータ１００の復帰後、一定流量以上の通流があった後に開始される。
【００３４】
（３）上記実施形態では、ガスメータ１００は、整圧機構として逆止弁を有するガバナを有する例を示したが、当該整圧機構を備えない構成を採用しても構わない。
【００３５】
（４）上記実施形態では、第２判定条件を満たすか否かの判定を行うと共に温度遮断制御を実行する制御例を示したが、当該第２判定条件の判定及び温度遮断制御については、実行しなくても本発明の目的を達成することができる。
【００３６】
（５）上記実施形態では、判定期間とは、圧力が遮断判定閾値Ｐ１を超えた時点（遮断判定開始時点：ｔ２）を終了時点とし、当該終了時点から所定の時間だけ前を開始時点とする期間であるとした。
しかしながら、当該判定期間は、圧力が遮断判定閾値Ｐ１を超えた時点（遮断判定開始時点：ｔ２）よりも所定時間（例えば、数秒〜数十秒程度の時間）前を終了時点とするものであっても構わない。
【００３７】
尚、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００３８】
本発明のガスメータ、及びその制御方法は、上流側ガス配管の整圧装置の異常により異常圧に昇圧する場合にはガス流通路を遮断して安全性を確保しながらも、ガスの昇温により異常圧に昇圧する場合にはガス流通路へのガスの流通を許容して使用者の利便性の向上を図ることができるガスメータ、及びその制御方法として、有効に利用可能である。
【符号の説明】
【００３９】
１１    ：ガス受入部
３０    ：遮断弁
１００、Ｍ１、Ｍ２、Ｍ３：ガスメータ
Ｂ      ：高層マンション
Ｃ１    ：制御部
Ｌ      ：ガス通流路
Ｐ１    ：遮断判定閾値
ＲＶ１  ：逆止弁
Ｓ１    ：温度センサ
Ｓ２    ：圧力センサ
Ｔ１    ：圧力遮断判定時間
Ｔ２    ：判定期間
Ｔ３    ：温度遮断判定時間
Ｖ１、Ｖ２、Ｖ３：ガバナ
Ｖｓ    ：整圧装置
ｔ３    ：遮断判定終了時点
【図１】
2020051934.tif 000003
【図２】
2020051934.tif 000004
【図３】
2020051934.tif 000005
【図４】
2020051934.tif 000006